(57)【特許請求の範囲】
【請求項１】
画像データを表示する表示部を備える携帯端末装置と、ネットワークを介して前記携帯端末装置に接続可能な画像処理装置とを含む情報通信システムであって、
前記携帯端末装置および前記画像処理装置は、相互にＮＦＣ（Ｎｅａｒ  Ｆｉｅｌｄ  Ｃｏｍｍｕｎｉｃａｔｉｏｎ）通信が可能であり、
前記画像処理装置は、
前記ＮＦＣ通信により、前記携帯端末装置から送信される前記携帯端末装置の固有のＩＤ（Ｉｄｅｎｔｉｆｉｃａｔｉｏｎ）データを受信する画像処理装置受信部と、
画像データおよび前記画像処理装置受信部により受信した前記ＩＤデータの双方を格納する画像処理装置格納部と、
前記ＮＦＣ通信により、前記画像処理装置格納部に格納された前記画像データを表示させるＵＲＬ（Ｕｎｉｆｏｒｍ  Ｒｅｓｏｕｒｃｅ  Ｌｏｃａｔｏｒ）データを前記携帯端末装置に送信する画像処理装置送信部と、
前記ネットワークを介して、前記携帯端末装置から送信される前記ＩＤデータを受信すると共に、前記携帯端末装置からの前記ＵＲＬへのアクセス要求を受け付けるアクセス要求受け付け部と、
前記アクセス要求受け付け部により受信した前記ＩＤデータと、前記画像処理装置格納部に格納された前記ＩＤデータとが一致するか否かを判断する判断部と、
前記判断部によって、前記アクセス要求受け付け部により受信した前記ＩＤデータと、前記画像処理装置格納部に格納された前記ＩＤデータとが一致すると判断すれば、前記アクセス要求受け付け部により受け付けた前記ＵＲＬへのアクセス要求を許可するよう制御する画像処理装置制御部とを備え、
前記携帯端末装置は、
前記ＮＦＣ通信により、前記画像処理装置受信部によって受信される前記携帯端末装置の固有の前記ＩＤデータを送信する携帯端末装置送信部と、
前記ＮＦＣ通信により、前記画像処理装置送信部により送信された前記ＵＲＬデータを受信する携帯端末装置受信部と、
前記ネットワークを介して、前記携帯端末装置の有する固有の前記ＩＤデータを送信すると共に前記ＵＲＬデータを前記画像処理装置に送信して、前記ＵＲＬに対するアクセス要求を行うアクセス要求部と、
前記画像処理装置制御部によって、前記ＵＲＬへのアクセス要求が許可されれば、前記画像処理装置格納部に格納された前記画像データを前記表示部に表示するよう制御する携帯端末装置制御部とを備える、情報通信システム。
【請求項２】
前記表示部は、前記携帯端末装置に接続可能であって、前記画像データを表示可能な表示装置を含む、請求項１に記載の情報通信システム。
【請求項３】
前記画像処理装置制御部には、前記ＩＤデータを取得し、前記ＩＤデータを前記画像処理装置に送信し、前記アクセス要求が許可されれば、前記画像処理装置格納部に格納された前記画像データを前記表示部に表示するよう動作するアプリケーションがインストールされている、請求項１または２に記載の情報通信システム。
【請求項４】
前記画像処理装置格納部は、前記画像処理装置に着脱可能に設けられており、
前記画像処理装置格納部に格納された前記画像データは、前記画像処理装置を介してアクセスすることにより前記画像データを表示可能である、請求項１〜３のいずれか１項に記載の情報通信システム。
【請求項５】
前記表示装置は、前記画像データを格納可能な表示装置格納部を含み、
前記携帯端末装置制御部は、前記表示装置格納部に、アクセス可能な前記画像データをダウンロードして格納するよう制御する、請求項２に記載の情報通信システム。
【請求項６】
前記携帯端末装置制御部は、前記ネットワークを介して、前記表示装置格納部に格納された前記画像データを、前記画像処理装置格納部に格納するよう制御する、請求項５に記載の情報通信システム。
【請求項７】
前記ＩＤデータは、前記携帯端末装置のＭＡＣ（Ｍｅｄｉａ  Ａｃｃｅｓｓ  Ｃｏｎｔｒｏｌ  Ｓｅｒｖｉｃｅ）アドレスデータを含む、請求項１〜６のいずれか１項に記載の情報通信システム。
【発明の詳細な説明】
【技術分野】
【０００１】
この発明は、情報通信システムに関するものである。
【背景技術】
【０００２】
デジタル複合機等に代表される画像処理装置をスキャナーとして用いた場合、画像読み取り部によって読み取った原稿の画像は、画像データとして画像処理装置に備えられたハードディスクに保存される。このような画像データを、通信により伝送端末に送信して、利用することがある。
【０００３】
ここで、情報提供装置におけるデータの通信に関する技術が、特開２０１３−７８１０６号公報（特許文献１）に開示されている。
【０００４】
特許文献１によると、情報提供装置は、記憶手段と、画像形成装置に対して画像形成の指示を行い、指示に基づいて画像形成装置で画像形成されたデータを受信する通信手段と、受信したデータを記憶部の所定の保管場所に保存する保存手段と、データの識別情報と、識別情報のデータが保存された保管場所とを対応づけた管理情報を記憶部に生成する制御手段とを備えることとしている。また、通信手段は、保管場所に保存されたデータを、データを共有するための伝送端末に送信することとしている。
【先行技術文献】
【特許文献】
【０００５】
【特許文献１】特開２０１３−７８１０６号公報
【発明の概要】
【発明が解決しようとする課題】
【０００６】
特許文献１によると、情報提供装置は、伝送端末にデータを送信する際、一旦記憶手段の保管場所に保管することとしている。しかし、このような構成によると、データのサイズが大きかった場合に、大きな保管場所を確保しなければならず、利便性に欠けることとなる。また、インターネットを用いた通信手段におけるセキュリティの観点からも、不十分である。
【０００７】
この発明の目的は、利便性を良好にすると共に、セキュリティを向上させた情報通信システムを提供することである。
【課題を解決するための手段】
【０００８】
この発明に係る情報通信システムは、画像データを表示する表示部を備える携帯端末装置と、ネットワークを介して携帯端末装置に接続可能な画像処理装置とを含む。携帯端末装置および画像処理装置は、相互にＮＦＣ（Ｎｅａｒ  Ｆｉｅｌｄ  Ｃｏｍｍｕｎｉｃａｔｉｏｎ）通信が可能である。画像処理装置は、ＮＦＣ通信により、携帯端末装置から送信される携帯端末装置の固有のＩＤ（Ｉｄｅｎｔｉｆｉｃａｔｉｏｎ）データを受信する画像処理装置受信部と、画像データおよび画像処理装置受信部により受信したＩＤデータの双方を格納する画像処理装置格納部と、ＮＦＣ通信により、画像処理装置格納部に格納された画像データを表示させるＵＲＬ（Ｕｎｉｆｏｒｍ  Ｒｅｓｏｕｒｃｅ  Ｌｏｃａｔｏｒ）データを携帯端末装置に送信する画像処理装置送信部と、ネットワークを介して、携帯端末装置から送信されるＩＤデータを受信すると共に、携帯端末装置からのＵＲＬへのアクセス要求を受け付けるアクセス要求受け付け部と、アクセス要求受け付け部により受信したＩＤデータと、画像処理装置格納部に格納されたＩＤデータとが一致するか否かを判断する判断部と、判断部によって、アクセス要求受け付け部により受信したＩＤデータと、画像処理装置格納部に格納されたＩＤデータとが一致すると判断すれば、アクセス要求受け付け部により受け付けたＵＲＬへのアクセス要求を許可するよう制御する画像処理装置制御部とを備える。携帯端末装置は、ＮＦＣ通信により、画像処理装置受信部によって受信される携帯端末装置の固有のＩＤデータを送信する携帯端末装置送信部と、ＮＦＣ通信により、画像処理装置送信部により送信されたＵＲＬデータを受信する携帯端末装置受信部と、ネットワークを介して、携帯端末装置の有する固有のＩＤデータを送信すると共にＵＲＬデータを画像処理装置に送信して、ＵＲＬに対するアクセス要求を行うアクセス要求部と、画像処理装置制御部によって、ＵＲＬへのアクセス要求が許可されれば、画像処理装置格納部に格納された画像データを表示部に表示するよう制御する携帯端末装置制御部とを備える。
【０００９】
このような情報通信システムによると、画像処理装置は、判断部によって、アクセス要求受け付け部により受信したＩＤデータと、画像処理装置格納部に格納されたＩＤデータとが一致すると判断すれば、アクセス要求受け付け部により受け付けたアクセス要求を許可するよう制御する。アクセス要求が許可されれば、携帯端末装置は、画像処理装置格納部に格納された画像データを表示部に表示するよう制御する。したがって、携帯端末装置に画像データを格納する領域を確保できない場合でも、携帯端末装置に備えられる表示部を用いて、画像データを表示させることができる。この場合、携帯端末装置の有する固有のＩＤデータを用いて判断を行っているため、より確実な認証をすることができる。また、ＮＦＣ通信により、ＩＤデータや画像データを表示可能とするＵＲＬデータの送受信を行っているため、よりセキュリティの高いデータの送受信を行うことができる。したがって、このような情報通信システムは、利便性を良好にすると共に、セキュリティを向上させることができる。
【発明の効果】
【００１０】
このような情報通信システムによると、画像処理装置は、判断部によって、画像処理装置受信部により受信したＩＤデータと、画像処理装置格納部に格納されたＩＤデータとが一致すると判断すれば、受け付け部により受け付けたアクセス要求を許可するよう制御する。また、アクセス要求が許可されれば、接続された表示装置に、画像処理装置格納部に格納された画像データを表示するよう制御する。したがって、携帯端末装置に画像データを格納する格納領域を確保できない場合でも、携帯端末装置に接続された表示装置を用いて、画像データを表示させることができる。また、ＩＤデータは、携帯端末装置の固有のものであるので、より確実な認証をすることができる。したがって、このような情報通信システムは、利便性を良好にすると共に、セキュリティを向上させることができる。
【図面の簡単な説明】
【００１１】
【図１】この発明の一実施形態に係る情報通信システムに含まれる画像処理装置をデジタル複合機に適用した場合において、デジタル複合機と携帯端末装置とがＮＦＣ通信を行う際のデジタル複合機および携帯端末装置の外観を示す概略図である。
【図２】この発明の一実施形態に係る情報通信システムの構成を示すブロック図である。
【図３】デジタル複合機と携帯端末装置とがＮＦＣ通信を行う場合の処理の内容を示すフローチャートである。
【図４】デジタル複合機ハードディスクに格納されるデータを示す概念図である。
【図５】この発明の一実施形態に係る情報通信システムに含まれるデジタル複合機と携帯端末装置とがネットワークを介して通信を行う際のデジタル複合機および携帯端末装置の外観を示す概略図である。
【図６】デジタル複合機と携帯端末装置とがネットワーク通信を行う際の処理の内容を示すフローチャートである。
【図７】この発明の他の実施形態に係る情報通信システムに含まれるデジタル複合機と携帯端末装置とがネットワークを介して通信を行う際のデジタル複合機および携帯端末装置の外観を示す概略図である。
【図８】この発明の他の実施形態に係る情報通信システムの構成を示すブロック図である。
【図９】この発明のさらに他の実施形態に係る情報通信システムの構成を示すブロック図である。
【発明を実施するための形態】
【００１２】
以下、この発明の実施の形態を説明する。図１は、この発明の一実施形態に係る情報通信システムに含まれる画像処理装置をデジタル複合機に適用した場合において、デジタル複合機と携帯端末装置とがＮＦＣ通信を行う際のデジタル複合機および携帯端末装置の外観を示す概略図である。図２は、デジタル複合機と携帯端末装置とがＮＦＣ通信を行う際のこの発明の一実施形態に係る情報通信システムの構成を示すブロック図である。
【００１３】
図１および図２を参照して、デジタル複合機１１は、デジタル複合機１１全体の制御を行うデジタル複合機制御部１２と、デジタル複合機１１側から発信する情報やユーザーの入力内容を表示する表示画面２１を含み、印刷部数や階調性等の画像形成の条件や電源のオンオフを入力させる操作部１３と、セットされた原稿を自動的に読み取り部へ搬送するＡＤＦ（Ａｕｔｏ  Ｄｏｃｕｍｅｎｔ  Ｆｅｅｄｅｒ）２２を含み、原稿の画像を読み取る画像読み取り部１４と、現像装置２３を含み、読み取った画像やネットワーク２５を介して送信された画像データを基に画像を形成する画像形成部１５と、送信された画像データや入力された画像形成条件等の格納を行う画像処理装置格納部としてのデジタル複合機ハードディスク１６と、公衆回線２４に接続されており、ファクシミリ送信やファクシミリ受信を行うファクシミリ通信部１７と、ネットワーク２５と接続するためのデジタル複合機ネットワークインターフェース部１８と、携帯端末装置３１等のような外部装置とＮＦＣ通信を行うためのデジタル複合機ＮＦＣ通信部１９とを備える。なお、デジタル複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）等を備えるが、これらについては、図示および説明を省略する。また、図２中の矢印は、制御信号や制御、画像に関するデータの流れを示している。
【００１４】
デジタル複合機１１は、画像読み取り部１４により読み取られた原稿を用いて画像形成部１５において画像を形成することにより、複写機として作動する。また、デジタル複合機１１は、デジタル複合機ネットワークインターフェース部１８を通じて、ネットワーク２５に接続されたコンピューター２６ａ、２６ｂから送信された画像データを用いて、画像形成部１５において画像を形成して用紙に印刷することにより、プリンターとして作動する。すなわち、画像形成部１５は、要求された画像を印刷する印刷部として作動する。また、デジタル複合機１１は、ファクシミリ通信部１７を通じて、公衆回線２４から送信された画像データを用いて、ＤＲＡＭを介して画像形成部１５において画像を形成することにより、また、画像読み取り部１４により読み取られた原稿の画像データを、ファクシミリ通信部１７を通じて公衆回線２４に画像データを送信することにより、ファクシミリ装置として作動する。デジタル複合機１１は、画像処理に関し、複写機能、プリンター機能、ファクシミリ機能等、複数の機能を有する。さらに、各機能に対しても、詳細に設定可能な機能を有する。
【００１５】
次に、この発明の一実施形態に係る情報通信システム２７に含まれる携帯端末装置３１の構成について説明する。携帯端末装置３１は、他の装置とＮＦＣ通信を行う携帯端末装置ＮＦＣ通信部３２と、ネットワーク２５と接続するための携帯端末装置ネットワークインターフェース部３３と、画像データ等のデータを記憶する携帯端末装置記憶部３４と、携帯端末装置３１自身の有するデータやネットワーク２５を介して得られた情報を表示すると共に、携帯端末装置３１自身への入力を受け付けるタッチパネル３５と、携帯端末装置３１全体の制御を行う携帯端末装置制御部３６とを備える。携帯端末装置３１は、ユーザーが手軽に持ち運べる程度の大きさである。携帯端末装置３１は、携帯端末装置３１の固有のＩＤデータとして、ＭＡＣ（Ｍｅｄｉａ  Ａｃｃｅｓｓ  Ｃｏｎｔｒｏｌ  Ｓｅｒｖｉｃｅ）アドレスを有する。ＭＡＣアドレスのデータについては、携帯端末装置記憶部３４に記憶されている。なお、携帯端末装置記憶部３４の容量は、比較的小さいものである。携帯端末装置３１は、主にタッチパネル３５を利用して操作される。携帯端末装置制御部３６には、携帯端末装置３１のＭＡＣアドレスデータの取得および取得したＭＡＣアドレスデータの送信を行って認証を行うアプリケーションがインストールされている。携帯端末装置３１としては、例えば、携帯電話やスマートフォン、タブレットＰＣ（Ｐｅｒｓｏｎａｌ  Ｃｏｍｐｕｔｅｒ）、ノートＰＣ等が挙げられる。
【００１６】
この発明の一実施形態に係る情報通信システム２７は、デジタル複合機１１と、複数のコンピューター２６ａ、２６ｂと、上記した携帯端末装置３１とを備える。具体的には、情報通信システム２７は、上記した構成のデジタル複合機１１と、ネットワーク２５を介してデジタル複合機１１に接続される複数のコンピューター２６ａ、２６ｂと、ＮＦＣ通信によりデジタル複合機１１と通信可能な携帯端末装置３１とを備える。携帯端末装置３１は、インターネットのようなネットワーク２５を介しても、デジタル複合機１１と接続可能である。なお、この実施形態においては、複数のコンピューター２６ａ、２６ｂについては、２台示している。各コンピューター２６ａ、２６ｂはそれぞれ、デジタル複合機１１に対して、ネットワーク２５を介して印刷要求を行って印刷をすることができる。デジタル複合機１１とコンピューター２６ａ、２６ｂとは、ＬＡＮ（Ｌｏｃａｌ  Ａｒｅａ  Ｎｅｔｗｏｒｋ）ケーブル等を用いて有線で接続されていてもよいし、無線で接続されていてもよく、ネットワーク２５内には、他のデジタル複合機やサーバーが接続されている構成でもよい。
【００１７】
次に、この発明の一実施形態に係る情報通信システム２７を用いて、デジタル複合機１１と携帯端末装置３１とがＮＦＣ通信を行う場合について説明する。図３は、デジタル複合機１１と携帯端末装置３１とがＮＦＣ通信を行う際の処理の内容を示すフローチャートである。
【００１８】
図３を参照して、デジタル複合機１１は、携帯端末装置３１を所有するユーザーによって、出張先等の外部で利用する原稿の画像を読み取る（図３において、ステップＳ１１、以下、「ステップ」を省略する）。この場合、例えば、ユーザーは、原稿をＡＤＦ２２にセットし、操作部１３におけるスタートキーの押下により、原稿の画像を読み取らせる。デジタル複合機制御部１２は、読み取った画像を基に、例えば、ＰＤＦ（Ｐｏｒｔａｂｌｅ  Ｄｏｃｕｍｅｎｔ  Ｆｏｒｍａｔ）形式の画像データを作成し、デジタル複合機ハードディスク１６に格納する（Ｓ１２）。
【００１９】
また、デジタル複合機１１は、画像データをデジタル複合機ハードディスク１６に格納すると共に、作成した画像データについて、ネットワーク２５を介しての閲覧や表示が可能なＷｅｂサイトのＵＲＬを生成する（Ｓ１３）。すなわち、ネットワーク２５を介して、このＵＲＬにアクセスすることにより、アクセス許可がされていれば、外部から画像データを閲覧することができる。また、必要に応じて、画像データのダウンロードをすることもできる。
【００２０】
次に、読み取った画像を利用するユーザーは、携帯端末装置３１に含まれる携帯端末装置ＮＦＣ通信部３２により、ＮＦＣ通信を用いて、携帯端末装置３１の有する固有のＩＤデータであるＭＡＣアドレスデータをデジタル複合機１１に送信する（Ｓ１４）。ここで、携帯端末装置ＮＦＣ通信部３２は、携帯端末装置送信部として作動する。
【００２１】
デジタル複合機１１は、デジタル複合機ＮＦＣ通信部１９により、ＮＦＣ通信を用いて、携帯端末装置ＮＦＣ通信部３２から送信されたＭＡＣアドレスデータを受信する（Ｓ１５）。ここで、デジタル複合機ＮＦＣ通信部１９は、画像処理装置受信部として作動する。
【００２２】
次に、デジタル複合機１１は、受信したＭＡＣアドレスデータを、デジタル複合機ハードディスク１６に格納すると共に（Ｓ１６）、上記したＳ１３によって生成され、Ｓ１１、Ｓ１２において作成された画像データを表示可能なＷｅｂのＵＲＬデータを、ＮＦＣ通信を用いて、携帯端末装置３１に送信する（Ｓ１７）。ここで、デジタル複合機ＮＦＣ通信部１９は、画像処理装置送信部として作動する。
【００２３】
携帯端末装置３１は、ＮＦＣ通信を用いて、デジタル複合機１１から送信されたＵＲＬデータを受信する（Ｓ１８）。ここで、携帯端末装置ＮＦＣ通信部３２は、携帯端末装置受信部として作動する。その後、受信したＵＲＬデータを、携帯端末装置記憶部３４に記憶させる（Ｓ１９）。
【００２４】
図４は、デジタル複合機ハードディスク１６に格納されるデータを示す概念図である。図４を参照して、デジタル複合機ハードディスク１６には、読み取った画像データやコンピューター２６ａ、２６ｂを介してデジタル複合機１１に送信される画像データを格納する画像データ格納領域４１と、携帯端末装置３１から送信されるＭＡＣアドレスデータを格納するＭＡＣアドレスデータ格納領域４２と、外部からネットワーク２５を介して画像データにアクセスさせるＷｅｂのＵＲＬデータを格納するＵＲＬデータ格納領域４３が割り当てられている。画像データ格納領域４１には、画像データＸ１という画像データ４４が格納されている。この画像データ４４は、Ｓ１１において作成された画像データである。また、ＭＡＣアドレスデータ格納領域４２には、ＭＡＣアドレスデータＹ１というＮＦＣ通信を用いて受信した携帯端末装置３１のＭＡＣアドレスデータ４５が格納されている。このＭＡＣアドレスデータＹ１は、携帯端末装置３１の固有のＩＤである。ＵＲＬデータ格納領域４３には、ＵＲＬデータＺ１というアクセスにより画像データＸ１を表示可能なＵＲＬデータ４６が格納されている。画像データ４４とＭＡＣアドレスデータ４５とＵＲＬデータ４６とは、紐付いて格納されている。
【００２５】
このような状態で、ユーザーは、デジタル複合機１１の設置された社内から外出する。この場合、携帯端末装置３１を携帯しているユーザーが赴く先は、Ｗｉ−Ｆｉの利用環境が整っている場所等、インターネットが利用できる環境である。
【００２６】
次に、外出先からインターネットのようなネットワーク２５を介し、携帯端末装置３１を用いて、デジタル複合機１１に備えられるデジタル複合機ハードディスク１６に格納された画像データを閲覧しようとする場合について説明する。
【００２７】
図５は、この発明の一実施形態に係る情報通信システム２７に含まれるデジタル複合機１１と携帯端末装置３１とがネットワーク２５を介して通信を行う際のデジタル複合機１１および携帯端末装置３１の外観を示す概略図である。図５は、図１に対応するものである。図６は、デジタル複合機１１と携帯端末装置３１とがネットワーク通信を行う際の処理の内容を示すフローチャートである。
【００２８】
図５および図６を参照して、まず、携帯端末装置３１からデジタル複合機１１に対し、ネットワーク２５を介して、携帯端末装置３１自身の有する固有のＭＡＣアドレスデータＹ１を送信すると共にＵＲＬデータＺ１を送信して、ＷｅｂのＵＲＬへのアクセス要求をする（Ｓ２１）。ここで、携帯端末装置制御部３６および携帯端末装置ネットワークインターフェース部３３は、アクセス要求部として作動する。この場合、上記したアプリケーションを用いる。
【００２９】
そうすると、ネットワーク２５を介して、デジタル複合機１１は、送信された携帯端末装置３１のＭＡＣアドレスデータＹ１と共に、ＵＲＬデータＺ１を受信して、ＷｅｂのＵＲＬへのアクセス要求を受け付ける（Ｓ２２）。ここで、デジタル複合機ネットワークインターフェース部１８およびデジタル複合機制御部１２は、アクセス要求受け付け部として作動する。
【００３０】
なお、このデータの送受信については、例えば、ハッシュ関数を用いた暗号化技術を用いて行われている。すなわち、送信されるＭＡＣアドレスデータＹ１は、携帯端末装置３１側で携帯端末装置制御部３６によってハッシュ関数を用いて暗号化されており、この暗号化されて送信されたＭＡＣアドレスデータＹ１を、デジタル複合機制御部１２において復号化する。このようにして、データの送受信を行う。
【００３１】
次に、デジタル複合機１１は、受信したＭＡＣアドレスデータＹ１と、デジタル複合機ハードディスク１６に格納されたＭＡＣアドレスデータＹ１とが一致するか否かを判断する（Ｓ２３）。ここで、デジタル複合機制御部１２は、判断部として作動する。この判断部による一致するか否かの認証については、復号化したＭＡＣアドレスＹ１とデジタル複合機ハードディスク１６に格納されたＭＡＣアドレスデータＹ１とが一致するか否かについて、判断する。
【００３２】
デジタル複合機制御部１２によって、受信したＭＡＣアドレスデータＹ１と、デジタル複合機ハードディスク１６に格納されたＭＡＣアドレスデータＹ１とが一致すると判断すれば（Ｓ２３において、ＹＥＳ）、ＵＲＬデータを送信した携帯端末装置３１がＭＡＣアドレスデータＹ１を携帯端末装置３１の固有のＭＡＣアドレスデータとして有すると認証して、受け付けたアクセス要求を許可する（Ｓ２４）。そして、送信されたＵＲＬデータＺ１に基づいて、画像データＸ１が表示されるＷｅｂサイトの閲覧をできるように接続する。そうすると、携帯端末装置３１は、そのディスプレイ３５において、Ｗｅｂサイト上の画像データＸ１を閲覧することができる（Ｓ２５）。
【００３３】
一方、例えば、画像データＸ１を表示するＷｅｂサイトを閲覧するためのＵＲＬデータが何らかの形で盗まれた場合、異なる携帯端末装置３１からのアクセス要求がなされることになる。この場合、ＭＡＣアドレスデータは、各携帯端末装置３１に固有のものであるため、異なるＭＡＣアドレスデータが送信されることになる。そうすると、判断部により、受信したＭＡＣアドレスデータと、デジタル複合機ハードディスク１６に格納されたＭＡＣアドレスデータＹ１とが一致しないと判断されることになる（Ｓ２３において、ＮＯ）。その後、デジタル複合機制御部１２は、受け付けたアクセス要求について、不許可とする（Ｓ２６）。すなわち、携帯端末装置３１からＷｅｂサイト上の画像データＸ１を閲覧することができないこととなる。その後、処理を終了する。
【００３４】
すなわち、このような情報通信システム２７によると、デジタル複合機１１は、判断部によって、アクセス要求受け付け部により受信したＭＡＣアドレスデータと、デジタル複合機ハードディスク１６に格納に格納されたＭＡＣアドレスデータとが一致すると判断すれば、アクセス要求受け付け部により受け付けたアクセス要求を許可するよう制御する。アクセス要求が許可されれば、携帯端末装置３１は、デジタル複合機ハードディスク１６に格納された画像データを携帯端末装置３１のタッチパネル３５に表示するよう制御する。したがって、携帯端末装置３１に画像データを格納する領域を確保できない場合でも、携帯端末装置３１に備えられるタッチパネル３５を用いて、画像データを表示させることができる。この場合、携帯端末装置３１の有する固有のＭＡＣアドレスデータＹ１を用いて判断を行っているため、より確実な認証をすることができる。また、ＮＦＣ通信により、ＭＡＣアドレスデータや画像データを表示可能とするＵＲＬデータの送受信を行っているため、よりセキュリティの高いデータの送受信を行うことができる。したがって、このような情報通信システム２７は、利便性を良好にすると共に、セキュリティを向上させることができる。
【００３５】
すなわち、ユーザーは、社外への会議に参加する前に、社内やオフィス、公共機関やコンビニエンスストアに設置されたデジタル複合機を用いて原稿をスキャンして原稿の画像データを作成する。その後、社外で会議に参加した際に、携帯端末装置を用いて作成した画像データをタッチパネル上に表示して閲覧可能な状態とし、紙媒体を用いることなく、画像データを有効に利用することができる。
【００３６】
この場合、携帯端末装置３１に固有のＩＤデータであるＭＡＣアドレスデータを用いて認証を行っているため、より確実な認証を行うことができる。
【００３７】
なお、上記の実施の形態においては、Ｗｅｂサイトにアクセスして、携帯端末装置３１に含まれるタッチパネル３５に画像データＸ１の画像を表示することとしたが、これに限らず、例えば、携帯端末装置記憶部３４のメモリ領域の空き容量が大きい場合には、アクセス可能と認証された後に、画像データＸ１を携帯端末装置３１の携帯端末装置記憶部３４にダウンロードできるよう構成してもよい。こうすることにより、社外等において、携帯端末装置３１における画像データＸ１への追記や修正、変更等の画像データＸ１の加工を効率的に行うことができる。
【００３８】
また、この場合、さらに加工した画像データＸ１について、デジタル複合機ハードディスク１６にアップロードして格納することにしてもよい。すなわち、いわゆる上書き保存ができるように構成してもよい。こうすることにより、加工された画像データＸ１をデジタル複合機ハードディスク１６に格納された画像データＸ１に反映させることができる。
【００３９】
この場合において、加工された画像データＸ１のアップロードについて、そのまま画像データＸ１の全てをデジタル複合機１１に送信して更新してもよいが、加工の前後の差分だけをデジタル複合機１１に送信し、デジタル複合機１１内において差分を加味して画像データＸ１の処理を行い、加工された画像データＸ１として反映させることにしてもよい。こうすることにより、よりセキュリティの向上を図ることができる。もちろん、画像データのファイル名を変更して、いわゆる別名で保存をすることができる構成としてもよい。なお、画像データＸ１のタッチパネル３５上での表示については、デジタル複合機１１上において、ウォーターマーク等で用いられるオーバーレイ機能を用いて、加工された画像データを再描画するようにしてもよい。
【００４０】
なお、Ｗｅｂへのアクセス中において、接続が中断される場合がある。この場合においては、例えば、画像データが加工中であった際には、一時的に加工中の画像データを格納することにしてもよい。この場合、予め設定された期間内に再度のアクセスがあり、再び画像データが加工されなければ、加工中の画像データを削除するようにしてもよい。再度のアクセスがあった場合には、作業の再開の問い合わせを行うようにしてもよい。また、一時的な画像データの格納については、携帯端末装置に備えられる携帯端末装置記憶部や、インターネット上の記憶領域としてもよい。
【００４１】
なお、上記の実施の形態においては、アクセス要求が許可されれば、携帯端末装置３１のディスプレイに画像データを表示することとしたが、これに限らず、携帯端末装置３１にディスプレイ装置等の表示装置を接続し、携帯端末装置３１を介して、このディスプレイ装置にアクセス要求が許可された画像データを表示するようにしてもよい。
【００４２】
図７は、この発明の他の実施形態に係る情報通信システムに含まれるデジタル複合機１１と携帯端末装置３１とがネットワーク２５を介して通信を行う際のデジタル複合機１１および携帯端末装置３１の外観を示す概略図である。図７は、図１、および図５に対応する。また、図８は、この発明の他の実施形態に係る情報通信システムの構成を示すブロック図である。図８は、図２に対応する。なお、図８に示す情報通信システムにおいて、図２に示す情報通信システム２７と同様の構成については、同じ符号を付して、それらの説明を省略する。
【００４３】
図７および図８を参照して、この発明の他の実施形態に係る情報通信システム２８は、上記した構成のデジタル複合機１１および携帯端末装置３１と、携帯端末装置３１に接続されるディスプレイ装置５１とを含む。ディスプレイ装置５１は、画像データ等を表示するディスプレイ装置表示画面５２と、データを記憶するディスプレイ装置記憶部５３と、ディスプレイ装置５１全体の制御を行うディスプレイ装置制御部５４とを備える。携帯端末装置３１とディスプレイ装置５１とは、図示しない接続端子同士で接続されている。ディスプレイ装置表示画面５２は、タッチパネル３５よりも、その画面が大きく構成されている。
【００４４】
このような構成において、情報通信システム２８は、上記した図６におけるＳ２５において、携帯端末装置３１のタッチパネル３５に画像データＸ１を表示するのではなく、携帯端末装置３１に接続されたディスプレイ装置５１のディスプレイ装置表示画面５２に画像データＸ１を表示する。このような構成によれば、より大きな画面で画像データＸ１を表示することができ、例えば、会議において多くの参加者に対して画像データＸ１を見やすくすることができる。この場合、ディスプレイ装置５１のディスプレイ装置制御部５４に対し、携帯端末装置３１に備えられる携帯端末装置制御部３６にインストールされたアプリケーションで行う動作と同様の動作をさせるアプリケーションをインストールして使用することにしてもよい。この場合、Ｗｅｂサイトへのアクセスを終了した際には、使用したＵＲＬデータ、ＭＡＣアドレスデータ等を消去するように構成してもよい。
【００４５】
なお、上記の実施の形態において、デジタル複合機１１は、画像データを外部記憶装置に格納し、この外部記憶装置に格納された画像データについて、アクセス要求の可否の判断等を行ってもよい。
【００４６】
図９は、この発明のさらに他の実施形態に係る情報通信システムの構成を示すブロック図である。図９は、図２および図８に対応する。なお、図９に示す情報通信システムにおいて、図２に示す情報通信システム２７と同様の構成については、同じ符号を付して、それらの説明を省略する。
【００４７】
図９を参照して、この発明のさらに他の実施形態に係る情報通信システム２９は、上記した構成のデジタル複合機１１および携帯端末装置３１と、デジタル複合機１１に接続される外部記憶装置５６とを含む。外部記憶装置５６には、画像データＸ１が格納されている。デジタル複合機１１は、接続された外部記憶装置５６から画像データＸ１にアクセスし、上記したアクセス要求が許可されれば、携帯端末装置３１に画像が表示されるようにする。
【００４８】
この場合、外部記憶装置５６への画像データの格納については、暗号化等のセキュリティが施されていることが好ましい。こうすることにより、直接、その外部記憶装置５６にアクセスして画像データを見ようとしても、見ることができないことになり、よりセキュリティを向上させることができる。すなわち、外部記憶装置５６に格納された画像データＸ１については、デジタル複合機１１を介したアクセスにより見ることができる。
【００４９】
なお、上記の実施の形態においては、携帯端末装置に固有のＩＤデータとして、ＭＡＣアドレスデータを用いることとしたが、これに限らず、携帯端末装置の機番等を携帯端末装置に固有のＩＤデータとして用いることとしてもよい。
【００５０】
また、上記の実施の形態において、アクセス許可により閲覧できる画像データは、複数であってもよく、閲覧可能となった状態でユーザーに選択された画像データを表示するようにしてもよい。複数の画像データについては、また、フォルダの階層に多段階に分けて格納されているものであってもよい。
【００５１】
なお、上記の実施の形態において、Ｓ１４、Ｓ１５について、ＮＦＣ通信と共に、ワイファイ（Ｗｉ−Ｆｉ）やブルートュース（Ｂｌｕｅｔｏｏｔｈ（登録商標））等の近距離通信手段を用いて接続するようにしてもよい。こうすることにより、例えば、画像データを作成後、ユーザーが移動中に、作成した画像データの処理方法を選択することができる。
【００５２】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００５３】
この発明に係る情報通信システムは、利便性を良好にすると共に、セキュリティを向上させることが要求される場合に、特に有効に利用される。
【符号の説明】
【００５４】
１１  デジタル複合機、１２  デジタル複合機制御部、１３  操作部、１４  画像読み取り部、１５  画像形成部、１６  デジタル複合機ハードディスク、１７  ファクシミリ通信部、１８  デジタル複合機ネットワークインターフェース部、１９  デジタル複合機ＮＦＣ通信部、２１  表示画面、２２  ＡＤＦ、２３  現像装置、２４  公衆回線、２５  ネットワーク、２６ａ，２６ｂ  コンピューター、２７，２８，２９  情報通信システム、３１  携帯端末装置、３２  携帯端末装置ＮＦＣ通信部、３３  携帯端末装置ネットワークインターフェース部、３４  携帯端末装置記憶部、３５  タッチパネル、３６  携帯端末装置制御部、４１  画像データ格納領域、４２  ＭＡＣアドレスデータ格納領域、４３  ＵＲＬデータ格納領域、４４  画像データ、４５  ＭＡＣアドレスデータ、４６  ＵＲＬデータ、５１  ディスプレイ装置、５２  ディスプレイ装置表示画面、５３  ディスプレイ装置記憶部、５４  ディスプレイ装置制御部、５６  外部記憶装置。
【図１】
0006303962.tif 000002
【図２】
0006303962.tif 000003
【図３】
0006303962.tif 000004
【図４】
0006303962.tif 000005
【図５】
0006303962.tif 000006
【図６】
0006303962.tif 000007
【図７】
0006303962.tif 000008
【図８】
0006303962.tif 000009
【図９】
0006303962.tif 000010